(57)【要約】【課題】筐体への圧入時に潰れるのを防止することができるフィルタ、フィルタ装置、画像形成装置及びフィルタ装置の製造方法を提供する。【解決手段】フィルタ装置５６は、ハニカム構造を有するフィルタ５６と、このフィルタ５６が圧入される筐体６０とを有し、フィルタ５６は、フィルタ５６の長辺方向とセル６２の長辺方向とが一致している。【選択図】図２
2018038583.tif 000002
【特許請求の範囲】
【請求項１】
多数のセルを有し、圧入する筐体の長辺方向に合わせて前記セルの長辺方向が形成されているフィルタ。
【請求項２】
多数のセルを有し、筐体への圧入方向に合わせて前記セルの長辺方向が形成されているフィルタ。
【請求項３】
前記セルは、ハニカム構造である請求項１又は２記載のフィルタ。
【請求項４】
長辺方向を有する筐体と、
前記筐体に圧入されたフィルタと、を有し、
前記フィルタは、多数のセルを有し、前記筐体の長辺方向に合わせて前記セルの長辺方向が形成されている
フィルタ装置。
【請求項５】
請求項４に記載されたフィルタ装置を有する画像形成装置。
【請求項６】
一方向に多数の切り込みを形成し、一方向と直交する方向に延伸させて多数のセルを形成してフィルタを構成し、前記切り込みが形成された一方向に圧力を加えて前記フィルタを筐体に挿入するフィルタ装置の製造方法。
【発明の詳細な説明】
【技術分野】
【０００１】
本発明は、フィルタ、フィルタ装置、画像形成装置及びフィルタ装置の製造方法に関する。
【背景技術】
【０００２】
特許文献１には、積み重ねた多数の可撓性シート同士を、隣接するシート間で塗布位置を１／２間隔づつずらして等間隔に平行塗布した線状接着剤層によって貼り合わせた積層構造体からなり、その両端部シート面の形状が矩形の立方体で一側面から反対側面に貫通するハニカム状通路を有している積層体ブロックの１個又は複数個を、両端外方へ引き延ばして筒状に湾曲させた状態で、両端シート面同士を突き合わせ接合した筒状構造のフィルター部材を、さらに偏平形状に引き延ばした状態で固定されている偏平筒状構造フィルターが記載されている。
【０００３】
特許文献２には、通気性、透水性で可撓性のシートの貼り合わせ積層体であって、各シート間が、隣接するシート間で塗布位置を１／２間隔づつずらせて所定間隔で平行塗布されている線状接着剤層によって貼り合わされており、該貼り合わせ状態から厚さ方向に展張されて板状枠体に貼着固定されている、孔道断面形状が菱形のハニカム構造フィルターが記載されている。
【先行技術文献】
【特許文献】
【０００４】
【特許文献１】特開２００２−６６２２５号公報
【特許文献２】特開平１０−１３７５２３号公報
【発明の概要】
【発明が解決しようとする課題】
【０００５】
本発明は、筐体への圧入時に潰れるのを防止することができるフィルタ、フィルタ装置、画像形成装置及びフィルタ装置の製造方法を提供することを目的としている。
【課題を解決するための手段】
【０００６】
請求項１に係る本発明は、多数のセルを有し、圧入する筐体の長辺方向に合わせて前記セルの長辺方向が形成されているフィルタである。
【０００７】
請求項２に係る本発明は、多数のセルを有し、筐体への圧入方向に合わせて前記セルの長辺方向が形成されているフィルタである。
【０００８】
請求項３に係る本発明は、前記セルは、ハニカム構造である請求項１又は２記載のフィルタである。
【０００９】
請求項４に係る本発明は、長辺方向を有する筐体と、前記筐体に圧入されたフィルタと、を有し、前記フィルタは、多数のセルを有し、前記筐体の長辺方向に合わせて前記セルの長辺方向が形成されているフィルタ装置である。
【００１０】
請求項５に係る本発明は、請求項４に記載されたフィルタ装置を有する画像形成装置である。
【００１１】
請求項６に係る本発明は、一方向に多数の切り込みを形成し、一方向と直交する方向に延伸させて多数のセルを形成してフィルタを構成し、前記切り込みが形成された一方向に圧力を加えて前記フィルタを筐体に挿入するフィルタ装置の製造方法である。
【発明の効果】
【００１２】
請求項１又は２に係る本発明によれば、筐体への圧入時に潰れるのを防止することができるフィルタを提供することができる。
【００１３】
請求項３に係る本発明によれば、セルの短辺方向が潰れやすいハニカム構造のフィルタに適用することができる。
【００１４】
請求項３に係る本発明によれば、請求項１に係る本発明の効果に加えて、濾過本体以外に特別な手段を設けることなく機内温度の上昇を防止することができる。
【００１５】
請求項４に係る本発明によれば、筐体への圧入時に潰れるのを防止することができるフィルタ装置を提供することができる。
【００１６】
請求項６に係る本発明によれば、筐体への圧入時に潰れるのを防止することができるフィルタ装置を有する画像形成装置を提供することができる。
【００１７】
請求項７に係る本発明によれば、筐体への圧入時に潰れるのを防止することができるフィルタ装置の製造方法を提供することができる。
【図面の簡単な説明】
【００１８】
【図１】本発明の実施形態に係る画像形成装置を示す断面図である。
【図２】本発明の実施形態に係るフィルタ装置を示し、フィルタと筐体とを分けた斜視図である。
【図３】本発明の実施形態に係るフィルタ装置を示し、フィルタを筐体に圧入する状態の斜視図である。
【図４】本発明の実施形態に係るフィルタの製造方法を示し、（ａ）は原材料に切り込みを入れた斜視図、（ｂ）は原材料を延伸させた状態を示す斜視図、（ｃ）は形成されたセルを示す正面図である。
【図５】フィルタの比較例を示す斜視図である。
【発明を実施するための形態】
【００１９】
次に、本発明に係る実施形態について説明する。
図１は、本発明実施形態に係る画像形成装置１０を示す。
【００２０】
画像形成装置１０は画像形成装置本体１２を有し、画像形成装置本体１２には、記録媒体として用いられている用紙を排出する排出口１４が形成されている。また、画像形成装置本体１２内には、用紙を搬送するための搬送路１６が形成されている。また、画像形成装置本体１２内には、搬送路１６に沿って用紙搬送方向における上流側から順に、給紙装置１８と、給紙装置１８から供給された用紙に転写され、定着されるトナー像を形成するための像形成部２０と、像形成部２０によって形成されたトナー像を用紙に転写する転写装置２２と、転写装置２２によって用紙に転写されたトナー像を用紙に定着する定着装置２４とが配置されている。
【００２１】
給紙装置１８は、用紙収容部２６と、用紙収容部２６に収納された最上位に位置する用紙を搬送路１６へと送り出す送出部材２８とを有する。
【００２２】
像形成部２０は、例えば画像形成装置本体１２に対して着脱することができ、像保持体として用いられている感光体ドラム３０を有する像形成ユニット３２と、光書込み装置３４とを有する。光書込み装置３４は、感光体ドラム３０に光により潜像を書き込むための光書込み装置本体として用いられているプリンタヘッド３６と、プリンタヘッド３６を保持する保持部として用いられている枠体３８とを有する。
【００２３】
像形成ユニット３２は、ユニット本体４０を有し、ユニット本体４０に対して先述の感光体ドラム３０と、感光体ドラム３０の表面を帯電させる帯電装置４２と、帯電装置４２によって帯電された感光体ドラム３０の表面にプリンタヘッド３６により形成された潜像を現像する現像装置４４と、転写装置２２によって用紙へとトナー像が転写された後に感光体ドラム３０の表面に残留しているトナー等を清掃する清掃装置４６とを有する。
【００２４】
転写装置２２は、転写部材として用いられている転写ロール４８を有し、転写ロール４８に転写バイアスが印加されていて、感光体ドラム３０から用紙へとトナー像を静電的に移動させる。
【００２５】
定着装置２４は、熱と圧力とを用いてトナー像を用紙に対して定着させる装置であり、例えばハロゲンランプ等を用いることができる熱源５０を有する加熱ロール５２と、加熱ロール５２に対して用紙を押し付ける加圧ロール５４とを有する。
【００２６】
以上のように構成された本発明の実施形態に係る画像形成装置１０においては、給紙装置１８から供給された用紙に対して、感光体ドラム３０の表面に形成されたトナー像が転写装置２２によって転写され、転写装置２２によって用紙に転写されたトナー像が定着装置２４によって用紙に定着され、定着装２４によってトナー像が定着された用紙が排出口１４を通過するようにして画像形成装置本体１２外へと排出される。
【００２７】
フィルタ装置５６は、オゾン又はにおいを除去する目的で設けられ、例えば定着装置２４の上部に配置されている。このフィルタ装置５６の上流側には送風機５８が設けられ、この送風機５８によりオゾン又はにおいが除去された空気が画像形成装置本体１２外に排出されるようになっている。
【００２８】
図２は、フィルタ装置５６を示す。
フィルタ装置５６は、フィルタ５８を筐体（フィルタケース）６０に圧入して構成されている。また、フィルタ５８は例えば直方体となっている。このフィルタ５８は、ａで示す長辺方向と、ｂで示す短辺方向とを有する。
【００２９】
一方、筐体６０は、フィルタ５８とほぼ同形状で、底面Ｘと側面Ｙとを有する。図３に示すように、フィルタ装置５６の製造時には、筐体６０の底面Ｘを下方に配置し、側面Ｙが垂直方向となるように筐体６０を立て、フィルタ５８の長辺方向を圧縮し、フィルタ５８の長辺方向ａが筐体６０の側面Ｙと一致し、フィルタ５８の短辺方向が筐体６０の底面Ｘと一致するように挿入する。
【００３０】
フィルタ５８は、ハニカム構造を有し、多数のセル６２が上下及び左右方向に並べられている。セル６２は、上下方向が長い六角形を有しているが、ひし形であってもよい。
【００３１】
フィルタ５８は、オゾン除去に用いられる場合は、例えばアルミニウムから構成され、セル６２の内壁にマンガン粉を付着させている。また、におい除去に用いられる場合は、活性炭から構成されている。
【００３２】
次にフィルタ装置５６の製造方法について説明する。
ここでは延伸方式が採用されている。
【００３３】
図４（ａ）に示すように、アルミニウム等の原材料６４を用意する。原材料６４は、直方体として形成されている。この原材料６４に切り込み６６を上下方向には一定距離を隔てて、左右方向には上下方向をずらして形成する。この切れ込み６６は、前面から後面に渡って貫くようにナイフ等により形成する。
【００３４】
次に上下方向に延伸させると、切り込み６６の部分が上下方向に広がり、図４（ｂ）に示すように、例えば六角形のセル６２となる。
【００３５】
セル６２は、図４（ｃ）に示すように、延伸方向である長辺方向Ｈと、切り込み６６の形成方法である短辺方向Ｖとを有する。即ち、フィルタ５８の長辺方向ａとセル６２の長辺方向Ｈとが一致し、フィルタ５８の短辺方向ｂとセル６２の短辺方向Ｖとが一致することになる。
【００３６】
そして、図２に示すように、フィルタ５８の長辺方向を縦にして上下方向から圧縮して筐体６０内に挿入し、フィルタ装置５６とする。
なお、通常、フィルタ５８を筐体６０に圧入する工程では、フィルタ５８の長辺方向を縦にして作業を行う。
【００３７】
このように、フィルタ５８の長辺方向ａとセル６２の長辺方向Ｈとを一致させると、フィルタ５８の圧入時にはフィルタ５８は弾性変形して元の形状に戻る。
【００３８】
一方、図５に示した比較例のように、フィルタ５８の長辺方向ａとセル６２の短辺方向Ｖとを一致させた場合は、フィルタ５８の圧入時にはフィルタ５８が潰れて塑性変形となってしまい、元の形状に戻らず、フィルタ５８と筐体６０との間に隙間を開けてしまうことになる。
【符号の説明】
【００３９】
１０・・・画像形成装置
５６・・・フィルタ装置
５８・・・フィルタ
６０・・・筐体
６２・・・セル
６４・・・切り込み
【図１】
2018038583.tif 000003
【図２】
2018038583.tif 000004
【図３】
2018038583.tif 000005
【図４】
2018038583.tif 000006
【図５】
2018038583.tif 000007